(57)【要約】【課題】フィラメント式の電球が前面開口部に対して横向きをなすスポットライト等の照明器具として、照射範囲を均一にして、照射面における光のムラ、照度の差を生じさせずに照明できるようにする。【解決手段】前面に開口する器具本体１の一側面部のソケット取付部４に回動可能なソケット台５を設け、このソケット台５に電球装着用のソケット３を固定し、ソケット台５の回動操作してソケット３を回動させることにより、ソケット３に装着された電球１０のフィラメント１１の方向を調整できるようにする。【選択図】        図２
2005011600.tif 000002
【特許請求の範囲】
【請求項１】
前面に開口する器具本体の側面部に、内方に向かって突出する電球装着用のソケットを備える照明器具であって、
前記ソケットがその軸心を中心に所要の角度範囲内で回動可能に設けられ、ソケットに装着された電球のフィラメントの方向を調整できることを特徴とする照明器具。
【請求項２】
前記器具本体の一側面部におけるソケット取付部にソケット台を備え、該ソケット台に前記ソケットが固定されてなり、前記ソケット台が前記ソケット取付部に対し所要の角度範囲内で回動可能に取着されており、該ソケット台が器具本体の開口側もしくは器具本体外部から回動操作可能に設けられてなる請求項１に記載の照明器具。
【請求項３】
前記ソケット台は、ソケット固定側とは反対側面の略中央に突設された軸部を有し、該軸部が前記ソケット取付部に対しバネ手段により押圧されることにより、該バネ手段の付勢押圧力に抗して回動可能に取着されてなる請求項２に記載の照明器具。
【請求項４】
前記ソケット台の前端部に回動操作片が連設され、該回動操作片がソケットの前部を覆うソケットカバーに有するスリットを通して回動操作可能にカバー前方側に臨出せしめられてなる請求項３に記載の照明器具。
【発明の詳細な説明】
【０００１】
【発明の属する技術分野】
本発明は、スポットライト等の照明器具、特に白熱電球等のフィラメントを備える電球が前面開口部に対して横向きに装備されるタイプの照明器具に関するものである。
【０００２】
【従来の技術】
例えば、絵画、書、焼き物等の美術品その他の各種展示品の照明、各種美術館内の通路やホテルや娯楽施設の照明、舞台照明、その他の部分的な照明に使用されるスポットらいと等の照明器具としては、器具本体内部の灯具が白熱電球等のフィラメントを備える電球からなるものが一般的であり、その中には、該電球を前記器具本体の前面開口部に対して横向きに装備するタイプのものがある。特に、器具本体をアーム等により支持するもの、器具本体の前面開口部が角形をなすものに、電球を横向きに装備するタイプのものが多い。通常、前記器具本体の内面には、反射板あるいは反射面が設けられており、電球の光を効率よく前方に向かって照射できるようになっている（例えば、下記の特許文献１）。
【０００３】
【特許文献１】
特開２００１−３０７５０２
【０００４】
【発明が解決しようとする課題】
前記の灯具としての電球を横向きに装備するタイプの照明器具の場合、器具本体内の一側面部に電球を装着するためのソケットが横向きに突設され、該ソケットに電球が螺合され装着される。そのため、器具本体の前面開口部に対する電球内部のフィラメントの方向は照明器具毎にまちまちである。
【０００５】
電球６０の内部のフィラメントの形式としては、図７の（ａ）や（ｂ）のように、２本のリード線６２，６２間にフィラメント６１を一文字状に張設したもの、リード線６２，６２とフィラメント６１とが略ひし形状をなすように拡がったもの等、種々の形状のものがあるが、電球が前記のように器具本体の前面開口部に対して横向きに装備される場合、前記ソケットに螺合され装着される電球の向き、特に電球内部のフィラメントの方向によって、器具本体内面の反射板による光の反射効果に差が生じる。その結果、照射面での照度や照射範囲（角度）に差が生じることになり、またフィラメントが前面に対し平行をなす場合等、フィラメントの方向によっては照射面に光のムラ（斑）が生じることもある。
【０００６】
そのため、例えば所定の間隔で展示されている絵画等の展示品をそれぞれ個々に照明する場合に、各照明器具の照射範囲や照度等に差が生じることになり、全体的なまとまりを欠き、照明にムラが生じる結果となっている。従来は、前記のような問題については配慮がされていない。
【０００７】
本発明は、上記に鑑みてなしたものであり、白熱電球等のフィラメントを備える電球を横向きに装備するタイプのスポットライト等の照明器具において、該照明器具の取付工事の際に、あるいは天井や壁面等に取付けた状態において、内部電球のフィラメントの方向を簡単に調整できるようにして、照射範囲（角度）を均一にして、かつ照射面における光のムラ、照度の差を生じさせずに照明できるようにした照明器具を提供するものである。
【０００８】
【課題を解決するための手段及び作用】
上記の課題を解決する本発明は、前面に開口する器具本体の側面部に、内方に向かって突出する電球装着用のソケットを備える照明器具であって、前記ソケットがその軸心を中心に所要の角度範囲内で回動可能に設けられ、ソケットに装着された電球のフィラメントの方向を調整できることを特徴とする。
【０００９】
この照明器具によれば、天井や壁面等の設置個所への取付けの際に、あるいは天井や壁面等に取付けた状態において、ソケットを回動調整することにより電球のフィラメントの方向を調整できる。例えば、フィラメントが器具本体の前面に対し垂直方向をなすように調整することができる。これにより、器具本体内面の反射板による反射光がロスなく前方に照射されることになり、そのため、照射面における光のムラが生じ難く、また照度や照射範囲も良好にかつ均一に保持される。したがって、複数の照明器具を並べて使用する場合においても、各照明器具による照射範囲、照明状態を均一化でき、全体としてまとまりのある照明ができる。
【００１０】
前記の照明器具において、電球の方向調整のために、前記器具本体の一側面部におけるソケット取付部にソケット台を備え、該ソケット台に前記ソケットが固定されてなり、前記ソケット台が前記ソケット取付部に対し所要の角度範囲内で回動可能に取着されており、該ソケット台が器具本体の開口側もしくは器具本体外部から回動操作可能に設けられてなるものとすることができる。
【００１１】
これにより、前記ソケット台を器具本体の開口側もしくは器具本体外部から回動操作して、該ソケット台に固定されているソケット、つまりは該ソケットに装着された電球を回動し、フィラメントの方向を前記のように調整することができ、調整操作を容易に行える。
【００１２】
前記ソケット台に、バネ手段等による適度の回動抵抗付与手段を設けておくのが、回動調整も可能でかつ通常時の安定性もよく、特に望ましい。
【００１３】
例えば、前記ソケット台が、ソケット固定側とは反対側面の略中央に突設された軸部を有し、該軸部が前記ソケット取付部に対しバネ手段により押圧されることにより該バネ手段の付勢押圧力に抗して回動可能に取着されてなるものとすることができる。これにより、前記電球のフィラメントの方向調整のための回動操作は、前記バネ手段による付勢押圧力に抗して回動操作できるとともに、通常時（通常の使用状態）においては、前記バネ手段の付勢押圧力によりソケット台を固定状態に安定性よく保持できることになり、電球がみだりに不安定になったり、動いたりするおそれがない。
【００１４】
また、前記ソケット台の前端部に回動操作片が連設され、該回動操作片がソケットの前部を覆うソケットカバーに有するスリットを通して回動操作可能にカバー前方側に臨出せしめられてなる場合、前記の回動操作を器具本体の前面開口部の側から問題なく行える。
【００１５】
【発明の実施の形態】
次に本発明の実施の形態を図面に示す実施例に基づいて説明する。
【００１６】
図１は本発明に係るスポットライト等の照明器具の概略を示す正面図、図２は図１のＩＩ−ＩＩ線における断面図、図３は一部を欠截した側面図、図４は図２のＩＶ−ＩＶ線におけるソケットを省略した要部の拡大断面図、図５は図２のＶ−Ｖ線のソケットを省略した要部の拡大断面図である。
【００１７】
図において、１は前面が四角形に開口する器具本体であって、図のように、左右両側面及び上下両側面がそれぞれ内方に向かって傾斜したテーパ状をなすとともに、上下両側面が後部において湾曲面で連続した略鞍形状をなしており、その内面に沿って反射板２が設けられている。１ａは前面開口部を示している。
【００１８】
３は従来より周知の電球装着用のソケットであって、前記器具本体１の一側面部の反射板２を切欠した部分において、内方に向かって前面と平行方向に横向きに突設されており、前記器具本体１の内部に装備される白熱電球等の電球１０を主として螺合手段により装着できるように設けられている。
【００１９】
本発明の場合、前記ソケット３は、その軸心を中心に所要の角度範囲内で回動可能に設けられている。前記ソケット３の回動を可能にするために、前記器具本体１の傾斜した側面部の内側に有するソケット取付部４に、前記ソケット３を保持するソケット台５が所要の角度範囲内で回動可能に取着されている。特に好ましくは、バネ手段等による適度の回動抵抗付与手段により外力を加えない限りみだりに回動しないように設けられる。このソケット台５は前記ソケット３の底面にビス止め手段３ａにより固定される。
【００２０】
図示する実施例の場合、前記ソケット取付部４は、前記器具本体１の一側面部と一体形成され、器具本体１の前面（開口部が属する平面）に対して平行な前側段面４ａと、該段面４ａに対し直角の内側面４ｂとによる断面略三角状をなしている。一方、前記ソケット台５には、ソケット固定側とは反対側面の略中央に取付用の軸部５ａが突設されている。そして、前記軸部５ａが前記ソケット取付部４の前側段面４ａと該段面４ａに固定される押圧部材としてのバネ手段６との間に挟持されており、これにより、通常時は前記バネ手段６により回動抵抗が付与されて前記ソケット台５が安定性よく保持されるとともに、外力を付与することにより前記バネ手段６の付勢押圧力に抗してソケット台５を回動できるように設けられている。
【００２１】
また、図示する場合、前記ソケット取付部４は、前記ソケット取付側からみて、前記前側段面４ａの幅方向中央部が両側部より凹入した凹形をなすとともに、該凹部分４ｃの中央部にＶ形溝４ｄが形成されている。他方、押圧部材としてのバネ手段６は、板バネよりなり、その両側端部が前記ソケット取付部４の前側段面４ａの両側部にビス止め手段７により固定された状態において、中央部が前記ソケット取付部４の前側凹部分４ｃに嵌入する凸形をなすとともに、該凸形部分６ａの中央に前記Ｖ形溝４ｄと相対向して略逆Ｖ形部６ｂが設けられており、該凸形部分６ａの全体が略Ｍ形をなしている。
【００２２】
そして、前記ソケット台５をソケット取付部４の内側面４ｂに対接した状態において、前記軸部５ａを前記ソケット取付部４の前記Ｖ形溝４ｄと、前記バネ手段６の前記略逆Ｖ形部６ｂとの間に保持して位置ずれなく一定位置に弾力的に挟持できるようになっている。また、前記軸部５ａの先端には、前記バネ手段６に係合する係合凸部５ｂが設けられており、前記軸部５ａの抜脱を規制できるようになっている。回動抵抗付与手段としては、上記以外のバネ手段を利用した種々の構成による実施が可能である。
【００２３】
さらに、前記ソケット台５の前端部に回動操作片５ｃが連設されており、該回動操作片５ｃが前記ソケット３の前部を覆うソケットカバー８に有するスリット８ａを通して回動操作可能にカバー前方側に臨出せしめられている。前記ソケットカバー８は、前記ソケット３の前半部を囲む断面略半円形をなしており、その基部側端部が前記ソケット取付部４より前方の段部９にビス止め手段９ａにより固定されている。
【００２４】
そして、前記ソケットカバー８の基部側の前記回動操作片５ｃ都の対応位置に周方向に長孔状をなすスリット８ａが設けられており、前記ソケット台５の回動操作片５ｃが前記スリット８ａを貫通して該スリット８ａの長さの範囲内で回動操作できるように設けられている。このソケット台５の回動範囲は、後述するように、ソケット３に装着された電球１０のフィラメント１１の方向を、前記器具本体の前面に対して平行をなす方向（反射板の内奥面に対し平行方向）と、直角をなす方向（反射板の内奥面に対し直角方向）の間で調整することから、９０°〜１８０°の範囲で調整できるようにするのが好ましい。また、前記ソケット３にはソケット後部側においてコード１５が接続されているので、前記角度範囲は、前記コード１５が回動の際の邪魔にならず、かつ電球１０の内部のフィラメント１１の方向調整が可能なように設定すればよく、通常は１２０°〜１５０°の角度範囲に設定する。この回動範囲の設定は、前記スリット８ａの周方向長さにより適宜決定できる。
【００２５】
前記ソケット３に装着される電球１０は、図のように発熱発光するタングステン等のフィラメント１１を内部に備えてなるもので、フィラメント１１は、２本のリード線１２，１２間に例えば略ひし形状をなすように張設されている。
【００２６】
１６は、前記器具本体１に角度調整可能に接続された支持アームであり、天井や壁面等に対し取付けられる。
【００２７】
上記の照明器具は、例えば、絵画、書、焼き物等の美術品その他の各種展示品の照明、各種美術館内の通路やホテルや娯楽施設の各種照明、その他の部分的な照明に使用されるスポットライトとして、天井や壁面等に取付けられて使用される。
【００２８】
この際、前記ソケット台５の前端部に有する回動操作片５ｃをもって前方から回動操作することにより、ソケット３に装着された灯具としての電球１０の方向、特に内部のフィラメント１１の張り方向を適宜調整し最適な状態にできる。
【００２９】
例えば、電球１０内部のフィラメント１１の張り方向が器具前面に対し平行もしくは平行に近い状態から、前記前面に対し直角をなす方向に変更し調整することが容易に可能になる。特に、この回動調整は、照明器具を天井や壁面に取付施工する際に、あるいは取付け後の状態において、器具前方から容易に行うことができる。
【００３０】
そして、前記のように、器具本体１内面の反射板２による反射光がロスなく前方に照射されることになり、そのため、照射面における光のムラが生じ難く、また照度や照射範囲も良好にかつ均一に保持される。したがって、複数の照明器具を並べて使用する場合においても、各照明器具による照射範囲、照明状態を均一化でき、全体としてまとまりのある照明ができる。
【００３１】
例えば、灯具として６０Ｗの電球を使用して、図６（ａ）のようにフィラメント１１の張り方向が器具前面に対して平行方向をなす場合と、図６（ｂ）のようにフィラメント１１の張り方向が器具前面に対し直角をなす場合とについて、照度や照明状態を比較した。
【００３２】
その結果、図６（ａ）の場合、１ｍ離れた照射面の中心部の照度は１９０ルクス（ｌｘ）であり、また照射面に光のムラが生じ、照射角度の拡がりにも乱れがみられた。これに対し、図６（ｂ）の場合は、１ｍ離れた照射面の中心部の照度は２１０ルクス（ｌｘ）となり、前記（ａ）の場合より約１０％の照度差が生じ、また、照射面の光のムラは殆ど生じず、照射角度も均一な拡がりを呈するものとなった。したがって、フィラメントの張り方向が器具前面に対し直角をなすものが望ましく、そのためソケットを回動して電球のフィラメントの方向を調整できるものが、スポットライト等としての使用上好適なものである。
【００３３】
なお、上記した実施例では、ソケット台５を器具前面側から回動操作する場合を示したが、これに限らず、前記ソケット台５を器具本体の側面外部から回動操作できるように、例えば、ソケット台５の軸部５ａを延長して、その端部を器具外部に臨出させて、該端部を回動操作部として構成することも可能であり、この場合も、外部からソケット台を回動操作して電球のフィラメントの方向を調整することができる。
【００３４】
さらにまた、器具本体の前面開口部の形状は、図示する四角形をなすものには限らず、他の多角形、円径や楕円形等、他の形状の開口形状をなすもにおいても上記同様に実施することができる。
【００３５】
【発明の効果】
上記したように本発明によれば、白熱電球等のフィラメントを備える電球を横向きに装備するタイプのスポットライト等の照明器具として、該照明器具の取付工事の際に、あるいは天井や壁面等に取付けた状態において、内部電球のフィラメントの方向を簡単に調整でき、照射範囲（角度）を均一にして、照射面における光のムラ、照度の差を生じさせずにまとまりのある体裁良好な照明をすることができる。
【図面の簡単な説明】
【図１】本発明に係るスポットライト等の照明器具の概略を示す正面図である。
【図２】図１のＩＩ−ＩＩ線における断面図である。
【図３】同上の一部を欠截した側面図である。
【図４】図２のＩＶ−ＩＶ線における要部の拡大断面図である。
【図５】図２のＶ−Ｖ線における要部の拡大断面図である。
【図６】ソケットの回動操作によるフィラメントの張り方向が器具前面に対して平行方向をなす場合（ａ）と、フィラメントの張り方向が器具前面に対し直角をなす場合（ｂ）フィラメントとを示す略示正面図である。
【図７】（ａ）（ｂ）それぞれ電球のフィラメントの張設状態を例示する電球の略示正面図である。
【符号の説明】
１    器具本体
１ａ  前面開口部
２    反射板
３    ソケット
４    ソケット取付部
４ａ  前側段面
４ｂ  内側面
４ｃ  凹部分
４ｄ  Ｖ形溝
５    ソケット台
５ａ  軸部
５ｂ  係合凸部
５ｃ  回動操作片
６    バネ手段
６ａ  凸形部分
６ｂ  略逆Ｖ形部
８    ソケットカバー
８ａ  スリット
９    段部
１０  電球
１１  フィラメント
１２，１２  リード線
１５  コード
１６  支持アーム
【図１】
2005011600.tif 000003
【図２】
2005011600.tif 000004
【図３】
2005011600.tif 000005
【図４】
2005011600.tif 000006
【図５】
2005011600.tif 000007
【図６】
2005011600.tif 000008
【図７】
2005011600.tif 000009